(57)【要約】      （修正有）【課題】デスク、カウンター等に於いて、対向する壁や固定家具等との隙間を簡単な操作でなくす事ができ、また隙間を元に戻す事も簡単にできる天板を提供する。【解決手段】天板本体と、この天板本体の天板端部の外側に配置された埋め込みナットを有する可動部品と、天板本体に水平に設けられた埋め込みナットと連結する螺旋を有する回転軸を備え、回転軸により、可動部品をスライドさせ、天板本体と隣接する周辺部材との隙間を調整する。【選択図】図１
0003163353.tif 000002
【実用新案登録請求の範囲】
【請求項１】
天板本体と、この天板本体の天板端部に配置された可動部品と、この可動部品を前記天板本体と隣接する周辺部材側にスライドさせる機能をもつ回転軸とを備え、前記回転軸によって前記可動部品と前記周辺部材との隙間を調整する事を特徴とするデスク、カウンター等の天板。
【考案の詳細な説明】
【技術分野】
【０００１】
本考案はデスク、カウンター等の天板において、対向する左右の壁や固定家具等との間に据え付ける場合に、天板左右に隙間を出さないようスライド機能を設けた天板に関するものである。
【背景技術】
【０００２】
対向する壁と壁の間若しくは固定家具等との間へデスク、カウンター等の天板を隙間なく据え付けを行う場合、専門技術を必要とし手間もかかっていた。また取り外しの場合は相手面へ傷跡やコーキング跡が残る事もあり取り外しが困難であった。
【先行技術文献】
【特許文献】
【０００３】
【特許文献１】特開２０００−２４５５５８  公報
【特許文献２】特開平９−１０１２３  公報
【特許文献３】特開２００３−５２４７５  公報
【考案の概要】
【考案が解決しようとする課題】
【０００４】
対向する壁と壁の間若しくは固定家具等との間へ天板を据え付ける場合、既成品のデスク類では様々な間口の商品が存在するが、にげ寸法が少なからず必要で、壁面間等に隙間なく、間口一杯に納める事はできなかった。また別注家具として納める場合に、一般的には隙間にフィラーの取り付け、又はコーキング等の施工方法があるが専門技術を必要とした。フィラー施工の場合は、技術者が現場にてフィラーの削り合わせを必要とし、コーキングの施工はその技術レベルでの仕上がりの美観も安定しない。それに乾燥、硬化時間を必要とした。また取り外しの場合は、壁面等に傷跡やコーキング跡が残る事もあり再可動が困難であった。またその手間もかかる為に費用も要した。それを解決する手段としては、特開２０００−２４５５５８号公報や特開平９−１０１２３号公報に開示されているが、何れも弾性材をもって壁面に押し当てる構造で、本体側は別に躯体に対して固定する必要がある為、再可動は容易にできなかった。また特開２００３−５２４７５号公報に開示されているものは、箱物家具の垂直方向での隙間を塞ぐ事が主目的な機構であり、ボルトと調整板が連動して動かない為に元にもどす操作にはやはり手間がかかった。本考案は据え付けと同様に容易に元に戻す機能を有する事により、特段技術を持たない者でも簡単に据え付け、取り外しができる為、天板上の機器のメンテナンスや周辺の掃除、脚等の下部支持部の変更が楽に行う事が可能となった。
【課題を解決するための手段】
【０００５】
天板本体の左右両辺若しくは片辺に、回転軸を回転させることにより可動部品を壁面や固定家具等の周辺部材にスライドさせる機能を設けることにより、天板と壁面や固定家具等の間に生じた隙間を容易に無くす事ができ、回転軸を逆回転させる事により元に戻す事が出来る事により問題点を解決している。
【考案の効果】
【０００６】
上述の様に、本考案の隙間調整機能をもつ天板はデスクやカウンター等に利用する事により、回転軸を回転するだけで容易に壁面等へ隙間無く間口一杯に納める事が可能となり、空間を最大限利用する事ができ、造作家具のような美観が保たれる。また構造上、横揺れが生じない為、脚部については垂直加重を耐えうるだけの簡略な構造の物や、箱物類の家具の上にも乗せても利用可能である。
【０００７】
また、回転軸を逆回転させる事により、隙間を元に戻す事ができ移動可能な為、天板上の機器類のメンテナンスや周辺の掃除、天板を支える脚や箱物家具等の交換が簡単に出来るようになった。
【０００８】
回転軸を廻す操作だけで、据え付け可能なので従来の据え付けに比べ、取り付けに要する時間、費用を節約する事ができる。
【図面の簡単な説明】
【０００９】
【図１】本考案の隙間調整機能をもつ天板の実施例を示す一部切欠断面図である。              （ａ）壁面へ押し当てる前の状態、（ｂ）壁面へ押し当てた状態
【図２】天板部の一部切欠平面図である。
【図３】天板部の一部切欠図である。（ａ）平面見上げ図、（ｂ）切欠断面図
【図４】天板部の一部切欠断面図である。
【図５】可動部の一部斜視図である。（ａ）雑巾摺一体化型、（ｂ）雑巾摺分離型
【図６】全体の正面透視図である。
【考案を実施するための形態】
【００１０】
天板の左右両端または片方の端部の可動部には、ナットが埋め込まれ、天板本体には、回転軸が左右方向には移動できない様、中間固定ナット等が取り付けられており回転軸先端のねじ切り部分と可動部の埋め込みナットとが連結されている。従って、この回転軸を回転させる事により、可動部が周辺部材側へと移動する。この機能により本天板と壁面や固定家具等との隙間を無くして取り付けする事ができる。また逆回転させることにより、元に戻す事が可能となる。
【実施例】
【００１１】
以下、添付図面に従って一実施例を説明する。（１）は天板本体であり、表面はメラミン化粧板又は、突板、化粧フィルム等の化粧材又は、木質無垢材で仕上げられている。芯材は無垢材、集成材、積層材等を利用する。（２）は可動部であり樹脂や木質無垢材等を利用できるが、天板本体（１）と共に材料は特に限定しない。（３）は回転軸であるが回転操作を行う位置により、先端部にねじ切りを施したフレキシブルシャフト等柔軟性を持ったシャフトが利用できる。ここでは、ボルトを使用の場合で説明する。（５）はボルト（３）が左右へ移動しないようにする中間止めナット（５）である。中間止めナット（５）は商品名ハードロックナット等が有効であるが、ボルト（３）が左右に動かない為の物であれば、止め輪、スナップピン等でもかまわない。またボルト（３）の頭側と中間止めナット（５）にはスムーズな回転を得る為にワッシャー（６）を設けることが好ましい。このボルト（３）を回転させる事により、可動部（２）をスライドさせる事ができる。（図１）
【００１２】
またこの操作部は少なくとも天板本体（１）の一辺に２箇所以上を設ける事により、相手壁面等の直角が合っていなくても天板本体（１）と可動部（２）との間には隙間があるので可動部（２）を可動させる時には、相手壁面と平行になるようスライド角度が変わる為、隙間を無くす事ができる（図２）
【００１３】
（３）は可動部（２）を左右にスライドさせるボルト（３）であるが頭部は６角型だけではなく、ハンドルレバー型の物や６角レンチ用ボルト等が利用できる。特に頭部がハンドルタイプの物は工具が不要で操作性が良好である。またＩ型のハンドルレバー（１４）型の物は手で締める時に力が入りやすく、また水平方向にレバーを合わせる事により天板本体の中にレバーが収納しやすくなる。（図３）
【００１４】
可動部（２）の形状であるが、壁面（１０）に当たる部分は高さを大きくした板状にし、拭き掃除時の壁面（１０）の汚れ防止に雑巾摺（７）とするのが好ましい。それにより壁面（１０）に当たる可動部（２）の面積が増大するので、より安定した据付ができる。また雑巾摺部のみを分離し別部品とし、これを据え付け時に上部より差し込む仕様にする事でより大きな、にげ寸法を持った天板とする事ができる。（図４）
【００１５】
本考案の隙間調整機能をもつ天板の利用で安定した据付けが出来る事により、正面壁（１１）と本天板との間に隙間を取ることが可能となり、その隙間へ天板上のパソコンの配線や携帯電話の電源コード等をたやすく出し入れ出来るので美観も優れたものとなる。その場合天板正面奥側、長手方向に転び止め（８）を取り付ける事が望ましい（図５）
【００１６】
本考案の隙間調整機能をもつ天板は、左右の構造物との間に隙間がない為、横揺れが生じない。よって脚部（１２）は垂直加重を耐えるだけの簡略な構造の物や、引出しキャビネット等の箱物類（１３）の家具に乗せても安定して使用する事ができる。（図６）
【００１７】
本考案の隙間調整機能をもつ天板は、簡単な操作で天板を可動させる事が出来るので、専門技術を持たない者でも、脚部を交換して高さ変更や、天板を支える箱物家具等の変更をたやすく行う事ができる。
【産業上の利用可能性】
【００１８】
以上詳述したように、本考案の天板は、対向する壁面や固定家具等の間に簡単な操作で隙間なく据付けや再可動が出来るので、専門技術のない者でも据え付けが可能となり、必ずとも専門技術者が据え付けに出向く必要がなくなった。本天板の用途としては、デスク類（パソコンデスク、書斎机、工作机等）、物品展示用の棚類、玄関や廊下用のベンチ等への利用があげられる。
【符号の説明】
【００１９】
１    天板本体
２    可動部
３    回転軸
４    埋め込みナット
５    中間止めナット
６    ワッシャー
７    雑巾摺
８    転び止め
９    配線コード類
１０  壁面又は固定家具等
１１  正面壁面
１２  脚部
１３  箱物家具類
１４  Ｉ型ハンドルレバー
【図１】
0003163353.tif 000003
【図２】
0003163353.tif 000004
【図３】
0003163353.tif 000005
【図４】
0003163353.tif 000006
【図５】
0003163353.tif 000007
【図６】
0003163353.tif 000008
【手続補正書】
【提出日】平成22年8月11日(2010.8.11)
【手続補正１】
【補正対象書類名】実用新案登録請求の範囲
【補正対象項目名】全文
【補正方法】変更
【補正の内容】
【実用新案登録請求の範囲】
【請求項１】
天板本体と、この天板本体の天板端部の外側に配置された埋め込みナットを有する可動部品と、前記天板本体に水平に設けられた前記埋め込みナットと連結する螺旋を有する回転軸を備え、前記回転軸により、前記可動部品をスライドさせ、前記天板本体と隣接する周辺部材との隙間を調整する事を特徴とするデスク、カウンター等の天板。